(57)【要約】患者のための供給用装置を支持する支持ヘッド（５，５’）が設けられ、これには供給用導管（１１，１２）を有する長い形状の供給部（１０，１０’）と、機器を担持するために、この供給部に取付けられた担持装置（１３，１３’，１４，１４’，１６；１９）が備えられている。担持装置は供給部上でその位置を調節することができる。【選択図】図１
2004514478.tif 000002
【特許請求の範囲】
【請求項１】
供給用導管（１００）を有する供給部（１０，１０’）と、機器を担持するために該供給部に取着された担持装置（１３，１３’１４，１４’，１６；１９，１２０）を備えた、特に患者用の供給装置のための支持ヘッドにおいて、前記担持装置は前記供給部上において、その位置が調整可能であることを特徴とする支持ヘッド。
【請求項２】
前記担持装置は、前記供給部に対して縦方向に延出するとともに該供給部に対して移動可能に取付けられた少なくとも１つの担持部材（１３，１３’，１４，１４’１９）を有する請求項１に記載の支持ヘッド。
【請求項３】
前記担持装置は、前記供給部に対して縦方向に延出した少なくとも２つの担持部材（１３，１３’，１４，１４’１９）を有し、これら担持部材の間隔は互いに調節可能である請求項１又は２に記載の支持ヘッド。
【請求項４】
前記供給部（１０，１０’）は、長い形状のハウジングで構成されるとともに、その上側ないし下側に該供給部の長手方向に沿う溝を有し、該溝内において前記担持部材が移動可能である請求項２又は３に記載の支持ヘッド。
【請求項５】
前記供給部は、上側枠部材（２１）と、該上側枠部材に連結された下側枠部材（４５）を有し、これら枠部材の間に供給導管及び接続部を受入れるダクト状のスペースが形成され、前記上側枠部材又は下側枠部材の前記スペースから離間した側に溝が設けられてなる請求項３又は４に記載の支持ヘッド。
【請求項６】
前記溝は、Ｔ字形溝（２２，２２’，４６，４６’）で形成されてなる請求項４又は５に記載の支持ヘッド。
【請求項７】
前記上側枠部材（２１）及び下側枠部材（４５）は、下側枠部材に旋回可能に取着された旋回部材（５７，５７’）を介して互いに連結され、該部材に接続部（１１，１２）を連結させる連結部材が取付けられてなる請求項５又は６に記載の支持ヘッド。
【請求項８】
前記旋回部材（５７，５７’）は取外し可能である請求項７に記載の支持ヘッド。
【請求項９】
供給導管のための接続部（１１）は、前記旋回部材（５７，５７’）に取外し可能に取着されるそれぞれの取付部材（６０）上に設けられてなる請求項７又は８に記載の支持ヘッド。
【請求項１０】
前記上側枠部材（２１）及び下側枠部材（４５）は、その両枠部材の対向面にそれぞれ保持又は絶縁のシート（２９）を挿入するための溝（２７，２７’４７，４７’）を有する請求項５乃至９のいずれか１に記載の支持ヘッド。
【請求項１１】
前記供給部（１０，１０’）は、担持部材が取付けられた溝（２２，２２’）を介して支持装置（１）に固定されるとともに該支持装置上でその位置を調節可能としてなる請求項４乃至１０のいずれか１に記載の支持ヘッド。
【請求項１２】
ケーブルないし導管を通して案内するために、供給部に開口（３９，３９’，４０）が設けられてなる請求項１乃至１１のいずれか１に記載の支持ヘッド。
【請求項１３】
担持装置、特に医療用供給装置のための担持構造体であって、第１の担持構造部（１４ａ）と、これに対して角度をなす第２の担持構造部（１４ｂ）を備え、前記第２の担持構造部（１４ｂ）は供給用導管等を収容するダクト（１５，１５’）を有するとともに該ダクトを閉成するカバー（９０）が設けてなることを特徴とする担持構造体。
【請求項１４】
前記カバー（９０）は前記第２の担持構造体（１４ｂ）の一側に旋回可能に取着されてなる請求項１３に記載の担持構造体。
【請求項１５】
前記カバー（９０）は取外し可能である請求項１３又は１４に記載の担持構造体。
【請求項１６】
前記カバー（９０）と前記第２担持構造体（１４ｂ）の端縁との間にシール用舌片（９１，９２）が設けられてなる請求項１３乃至１５のいずれか１に記載の担持構造体。
【請求項１７】
供給用導管を保持するとともに案内するためにダクトの（１５，１５’）の内側に保持手段（９３，９４）が設けられてなる請求項１３乃至１６のいずれか１に記載の担持構造体。
【請求項１８】
前記保持手段は互いに隣接配置された少なくとも３つの保持歯（９３，９４）を有してなる請求項１７に記載の担持構造体。
【請求項１９】
前記保持歯の内、中央の保持歯は掛止爪（９５）を有し、該掛止爪に前記カバー（９０）の適宜位置に設けられた爪部（９６）が係合してなる請求項１８に記載の担持構造体。
【請求項２０】
前記第１及び第２の担持構造部（１４ａ，１４ｂ）の間の角度領域部に当該担持構造体に対して横方向に配置された担持部（１６）を取付けるための溝（８９）が設けられてなる請求項１３乃至１８に記載の担持構造体。
【請求項２１】
２つの担持構造体（１４，１４’）が機器ないしダクト（１７）を担持するために該担持構造体に対して横方向に配置されたコンソール（１６）を介して互いに連結され、台架を形成してなる請求項１３乃至２０に記載の担持構造体。
【請求項２２】
前記横方向に配置されたダクト（１７）は旋回可能なカバー（１１３）を有してなる請求項２１に記載の担持構造体。
【請求項２３】
前記ダクト（１７）は、導管を保持するための保持手段（１１０，１１１，１１２）を有してなる請求項２１又は２２に記載の担持構造体。
【請求項２４】
前記ダクト（１７）ないしカバー（１１３）はシール用舌片（１１５，１１６）を有してなる請求項２１乃至２３のいずれか１に記載の担持構造体。
【請求項２５】
担持構造体上において、これに対して横方向に延出され、機器等を収容する少なくとも１つのコンソール（１６）が設けられ、これら担持構造体とコンソールによって形成された台架が供給装置（１０）に取付けられてなる請求項１３乃至２４のいずれか１に記載された少なくとも２つの担持構造体を備えた支持ヘッド。
【請求項２６】
当該支持ヘッドが請求項１乃至１２のいずれか１に記載された構成を有する請求項２５に記載の支持ヘッド。
【請求項２７】
車台（１３１）と、その上に載置されるとともに請求項１３乃至２４のいずれか１に記載の少なくとも２つの担持構造体とを備え、機器を担持するために該担持構造体に対して横方向に延出した少なくとも１つのコンソール（１６）が該担持構造体（１４，１４’）上に設けられてなる機器用台車。
【請求項２８】
前記車台（１３１）の下方に、導管部分（１３４，１３６）を収容する引出し（１３３）が設けられてなる請求項２８に記載の機器用台車。
【発明の詳細な説明】
【０００１】
【発明の属する技術分野】
本発明は、特に医療監視用及び供給用装置のための支持ヘッド、該支持ヘッド用の担持装置、更には機器用台車に関する。
【０００２】
【従来の技術及び発明が解決しようとする課題】
医療監視用及び供給用装置としての公知の装置は、天井取付型の支持体を備え、該支持体はこれに取着された支持ヘッドを有する。この支持ヘッドは医療機器等を担持し、この支持ヘッドを介して、医療機器に電気、ガス等が給送される。機器の装備スペースは、機器のサイズ及び使用機器の数により異なる。この機器装備スペースの相違に対処するため、この種の支持ヘッドは、いきおい大型の構成になさざるを得なかった。しかし、該大型の支持ヘッドの設置により、重病患者の診断と治療のためのスペースを十分に確保できない問題があった。
【０００３】
本発明は、上記問題に鑑みてなされたもので、その目的は特に医療監視用及び供給用装置のための支持ヘッドの設置スペースを節約可能な改良構成を提供することにある。
【０００４】
【課題を解決するための手段及び発明の効果】
上記本発明の目的は、特許請求範囲の請求項１に記載の支持ヘッドの構成により達成される。又、同目的は特許請求の範囲の請求項１３に記載の支持ヘッドのための担持装置の構成により達成される。更に、同目的を達成する改良構成は、特許請求の範囲の従属請求項の記載から明らかである。
【０００５】
本発明の更なる目的及び利点は、図面を参照して以下説明される本発明の実施の形態から明らかである。
【０００６】
【発明の実施の形態】
図１は、旋回アーム２，２’に支持された支柱３，３’を備えた天井取付型の支持装置１を示す。各支柱３，３’上には台脚状の支持ヘッド５，５’が枢動支承板４，４’を介して配置されている。この支持ヘッド５，５’は機器用担持体及びその上に設置あるいはクランプ保持された機器への供給用装置として機能する。第１の支持ヘッド５は、その上に装備された各種の機器６，７，８、例えばモニター装置、コンピュータ、ディスプレイ、呼吸関連機器などを担持して、監視用ならびに呼吸制御用支持ヘッドとして構成されている。他方、第２の支持ヘッド５’は、その上に例えば点滴用あるいは輸液用ポンプ９などの機器をクランプして担持する注輸用支持ヘッドとして構成されている。これら各ヘッド５，５’は枢動支承板４，４’を介して支柱３，３’に連結された患者用の供給部１０，１０’を備える。供給部１０，１０’はチューブ及びケーブル１００などの供給ラインの導管を含み、これら導管は旋回アーム２，２’及び支柱３，３’を介して支持ヘッドに導かれており、支持ヘッド用導管を構成する。この導管により該支持ヘッドに担持された機器あるいはその近傍の床上に設置された機器に対して、ガス、各種の媒体、電流、データ等が供給される。又、供給部１０，１０’は、医療用ガスのガス接続部１１，１１’、強電流用、弱電流用の電気的接続部１２，１２’及びデータ伝送用コネクタ等の多岐にわたる所要の接続部を含む。この供給部１０，１０’は長い形状のハウジングで構成され支柱３，３’においてヘッドの高さの上端を規定する状態で設けられてる。
【０００７】
監視用及び呼吸制御用の第１の支持ヘッド５は、２つの水平に整合した横架アーム１３，１３’を有し、これらアームは支柱３，３’に対して対称に供給部１０の上側に固定されるとともに横断面Ｕ字状の枠体で形成されている。又、第１の支持ヘッド５は、担持部材をなす横架アーム１３，１３’に取着された導管用ダクト１５，１５’を有する２つの縦方向に沿う担持部材をなす担持枠体１４，１４’を有する。この担持枠体１４，１４’には、機器の設置及び付属具の保管のための水平になったコンソール１６ないしは引出しや操作盤のボードが固定されている。担持枠体１４，１４’の間には横方向に配置された導管用の水平ダクト１７が設けられ、これにより追加的に設置される機器の接続部、ソケット乃至コネクタ１８を有する導管が案内される。この２つの担持枠体１４，１４’がダクト１７と共働して台架を形成する。上記横架アーム１３，１３’、担持枠体１４，１４’、コンソール１６等は供給部１０，１０’を取付け、これを担持する担持構造体を構成し、これら担持構造体が担持装置を構成する。尚、本明細書において、枠体，枠部材と称する部材は、横断面形状が均一な長尺材でプロフィールないしアングル材とも称される構造材である。
【０００８】
注輸用の第２の支持ヘッド５’は、ハウジング構造の供給部１０’の下側において、担持部材をなす複数の縦管１９を有し、これらは点滴用ないしは輸液用ポンプ９やこの種のポンプを含む注輸システムをクランプして保持するポンプ用ロッドとして機能するとともに担持構造体ないし担持装置の一部を構成する。これらポンプ用ロッドをなす縦管１９は、システム全体の強度向上のために規格の機器用レール２０を介して供給部１０から一定の距離のところで互いに連結される構成が望ましい。このポンプ用ロッドをなす縦管１９は後述のようにその位置が水平方向に調節可能となっている。
【０００９】
図２乃至５に示すように、供給部１０，１０’はハウジングで構成され、上側枠部材２１と下側枠部材４５を有して、全体としておおむね矩形状をなし、これら枠部材は、横断面が四角の間隔保持ピン３４を介して互いに連結されている。下側枠部材４５の長さは上側枠部材２１と同じであるが、その幅ないし肉厚は上側枠部材２１よりも小さい。組込まれる接続部１１，１２に応じて、供給部１０は図２に示すように単一ダクト（５１）で構成されるか、あるいは図４に示すように二重ダクト（５２）で構成され、間隔保持ピン３４がそれぞれの構成に応じた長さになっている。供給部１０，１０’の長さに応じて設置の間隔保持ピン３４の数が決められて、供給部の長手方向に沿って配置される。
【００１０】
上側枠部材２１には、その端縁３０，３０’から離間した位置において、長手方向に沿い互いに平行をなす一対のＴ字形溝２２，２２’が設けられている。このそれぞれのＴ字形溝２２，２２’内に挿着されたネジ２３及びナット２４により、特に図２，４及び８に示すように、供給部１０，１０’は枢動支承板４，４’に固着される。特に図３，８に示すように、各横架アーム１３，１３’は対応するＴ字形溝２２，２２’内に挿着されたネジ２５及びナット２６によって上側枠部材２１に固着される。下側枠部材４５には、上側枠部材２１と対向しない反対側（下面）に一対のＴ字形溝４６，４６’が設けられ、これら溝はポンプ用ロッド１９を固定するためのもので、端縁４８，４８’に対して平行になっている。
【００１１】
上側及び下側枠部材２１，４５の互いに対向する側（内面）には、それぞれの端縁から離間した位置に対をなす溝２７，４７，２７’，４７’が設けられている。これらの溝は、保持用又は絶縁用のシート２９を挿着させる機能を有する。上側及び下側枠部材２１，４５には、それぞれの端縁３０，３１’，４８，４８’近傍において一対のネジ付きダクトが形成されており、該ダクト３１，３１’は上側枠部材２１に、ダクト４９，４９’は下側枠部材４５に設けられている。これらネジ付きダクトは特に図５，８に示すようにハウジング側の部分３２，３２’へのネジ込み用である。
【００１２】
上側枠部材２１には、その端縁３０，３１’の外端部にネジ付き形状部３５，３５’が形成されている。これは特に図２において拡大部Ｄに示してある。これによって前板６６を取付ける。更に上側枠部材２１は、その中央部に中央凹所ないし開口３９を有し、その形状及び寸法は、枢動支承板４，４’の開口に対応する。又、図３に示すように、この中央凹所ないし開口３９から離間したところに更に２つの凹所ないし開口４０，４０’が上側枠部材２１に設けられている。取付けられた横架アーム１３，１３’の位置は、これらの凹所ないし開口の位置におおむね対応し、従って、両担持枠体１４，１４’の間に組込まれたコンソール１６の幅に対応する。更に、上側枠部材２１の中央部には溝３３が設けられ、この溝によって間隔保持ピン３４の不用意なねじれが防止される。従って、組立構造の簡略化に寄与する。
【００１３】
下側枠部材４５には、その対向端縁４８，４８’のところに、特に図２，３に示すように旋回部材をなす旋回可能ないし回動可能なシャーシ５７，５７’をリンク連結するためのヒンジ部５０，５０’が一体に設けられている。これら旋回シャーシ５７，５７’は下側枠部材の構造部の一部を構成し、その長さは下側及び上側枠部材４５，２１の長さに相当する。下側枠部材４５に組付状態で対面するそれぞれの端縁部分には、該下側枠部材４５のヒンジ部５０，５０’と共働する部片５６，５６’が設けられている。旋回シャーシ５７，５７’は接続部１１，１２及び例えば前板６６を含むＩＴ接続部材などの接続部材を収容する。
【００１４】
図２乃至４には、右側の旋回シャーシ５７が示され、これはガス接続部１１或いはガスソケットを収容する。各ガスソケットはその裏側においてネジ５９で輪形取付部材６０にネジ込み固定され、該取付部材６０には、ソケットの接続チューブ６３を取付ける取付孔６２が設けられている。旋回シャーシ５７の内側に形成されたネジ部６５に対してネジ６４により複数の取付部材６０が互いに隣接した状態で固定されている。旋回シャーシ５７は取付部材６０を介して上側枠部材２１のネジ付きダクト３５内においてネジ５８により上側枠部材２１に連結されている。各接続部１１は接続部の形式に適した前板６６によって覆われている。前板６６は、旋回シャーシ５７の外端縁におけるネジ付きダクト６８においてネジ６７により旋回シャーシ５７に連結されるとともに取付部材６０の対応する凹所により上側枠部材２１のネジ付きダクト３５内で上側枠部材２１に連結されている。旋回シャーシ５７は取付部材６０と一緒になって所要の剛性を維持する。
【００１５】
図２乃至４に示す左側の旋回シャーシ５７’において、該旋回シャーシ５７’は電気的接続部１２を収容している。この旋回シャーシ５７’は他方の旋回シャーシ５７と同様に担持構造体の部分を構成する。その外端縁にネジ付きダクト７３が設けられている。前板７２は、電気的接続部１２を取付ける開口７１を有するとともに旋回シャーシ５７’のネジ付きダクト７３と共働するネジ７４を介して旋回シャーシ５７’に連結されている。電気的接続部１２はケーブル７７に連結され、該ケーブル７７は公知のネジ取付具７５によって絶縁及び保持用シート２９に固定され保護チューブ７６内に配線されている。旋回シャーシは、上側枠部材２１のネジ付きダクト３５’に係合するネジ７８を介して上側枠部材２１に連結される。閉じた状態において、供給部１０，１０’はねじりに対して剛性を有する。供給部１０，１０’は注輸用の支持ヘッド５’と同様に監視用及び呼吸制御用支持ヘッド５のために用い得る。支持ヘッドに用いられる機器に応じて、それに対応した形式及び数のガス接続部１１あるいは電気的及び情報伝達用の接続部１２が設けられる。
【００１６】
監視用及び呼吸制御用支持ヘッド５の構成は以下に詳述される。横架アーム１３，１３’は横断面Ｕ字形の枠体で構成されている。横架アーム１３，１３’の長さは、旋回シャーシ５７がダクト１５を含む担持枠体１４の幅を加えると、開いた状態のとき、供給部１０の幅に対応する。特に図３，８に示すように、各横架アームには供給部１０に面する下側においてネジ８１用の孔８０が設けられ、このネジ８１は上側枠部材２１の対をなすＴ字形溝２２，２２’内にそれぞれ配置されたナット２６，２６’に連結されている。この下側には又、上側枠部材２１の開口４０，４０’と整合した孔８２が設けられている。横架アームは、各横架アームの一端が供給部の前側と整合した状態で閉塞され、他端が該供給部上方に突出した態様で上側枠部材２１に固定される。縦方向に沿う担持枠体は突出した部分に固定される。各横架アームの担持枠体１４に面する側には、開口８３が設けられ、この開口８３はその端部側が開いており、供給部１０の開口４０，４０’から延出したラインないし導管を導管用ダクト１５，１５’に挿通させる。担持枠体１４，１４’は、横架アーム１３，１３’と面する端部において、ネジ付きダクト８４ａ，８４ｂ，８４ｃ（図６ａ，６ｂ，６ｃ）を有し、このダクトを介して、それと共働するネジ８５により、担持枠体１４，１４’が横架アーム１３，１３’にそれぞれ連結される。横架アーム１３，１３’は、供給部とは反対の側において、カバー８６を有し、このカバー８６は留め金具のクリップ作用で固定し得る。
【００１７】
図６ａ，６ｂ，６ｃ及び７に示すように、コンソール、ブロック状の引出し等のための縦方向に沿う取付用担持構造体として機能する担持枠体１４，１４’はアングル材で形成され、第１の担持構造部１４ａとそれに対して角度をなす第２の担持構造部１４ｂを有する。両担持構造部１４ａ，１４ｂは中空状の構造材で形成されている。第１及び第２の担持構造部１４ａ，１４ｂの間の角度領域には、図示しないスライドブロックを挿入するため及びコンソール等を取付けるための溝８９が設けられている。第１の担持構造部１４ａは閉じた中空状の構造材で形成され、第２の担持構造部１４ｂは開いた中空状の構造材で形成され、その内側を走るケーブルやガス導管などのラインないし導管１００のためのダクト１５を形成する。このダクト１５は同様に構造材で形成されたカバー９０により閉鎖される。このカバー９０はヒンジ連結されているが、このヒンジを外すことができる。第２の担持構造部１４ｂは外端縁にヒンジ部９０ａを有し、これがカバー９０の対応端部９０ｂと共働する。カバー９０の端縁と、第２の担持構造部１４ｂは、互いに面する側において中空状のシール用舌片９１，９２を有し、これら舌片９１，９２は、ダクト１５，１５’が閉じられるとき、機器との直接的接続のためにチューブやケーブルを含むとともに選定された高さにまで導出されたラインないし導管１００を弾性的に囲む。従って、ダクト１５，１５’内への異物の侵入を避けることができる。
【００１８】
各ダクト１５，１５’の内側には、少なくとも３つの保持手段を構成する保持歯よりなるホルダー９３が互いに隣接した状態で配置され、これら舟形おけの態様で湾曲している。このホルダー９３内でラインないし導管１００が案内されるとともに、場合によってはバンドで固定される。その中央の形状の外側において弾性掛止爪９５が設けられ、これに対してカバー９０に形成された第２の掛止爪をなす爪部９６が対応して係合し、これによってカバー９０が閉じた状態を保つ。カバー９０を開くときには、掛止爪９５を有する弾性ホルダー９３に対して、シール用舌片９１，９２の間の隙間にダクトの内方に向けて適宜の工具を差込む。これにより、カバー９０の爪部９６が外れる。これらホルダー９３はダクトの内側におかれた枠部材に対してクリップ状態で止められる。
【００１９】
特に図７，８に示すように、担持構造体をなす担持枠体１４，１４’の間において選定した高さ位置に１つ又は複数の横方向に配置された水平ダクト１７が設けられ、あぶみ状のブラケット１０６を有する。該ブラケット１０６を介し、ダクト１７とダクト１５，１５’は、該ダクト１７のチャンネル１０５のＴ字形溝に係合するナット１０７と、ダクト１５，１５’のＴ字形溝に係合するナット１０８により連結されている。各ブラケット１０６からラインないし導管を案内する２つのピン１０９が突出している。ダクト１７は、ダクト１５と同様に、旋回可能で取外し可能なカバー１１３を有し、該カバー１１３は開閉自在に旋回ないし揺動し得る。ダクト１７の内側には、ホルダー９３と同様の１つ又は複数の舟形おけの態様で湾曲して互いに隣接配置された保持手段を構成する保持歯よりなるホルダー１１０が設けられている。このホルダー１１０内でラインないし導管が案内されるとともに場合によってはバンドで固定される。この内の中央のホルダーは弾性変形可能な掛止爪１１２を有し、これに対しカバー１７ａに形成された爪部１１４が係合し、これによってカバーが閉じた状態に保持される。ダクト１７は枠部材の態様のカバー１１３によって閉じられる。カバー及び枠体端縁にそれぞれシール用舌片１１５，１１６が設けられ、カバー１１３が閉じられたとき、ダクト１０５から延出したラインないし導管を取り囲む。これによって、ダクト内への異物の侵入を回避できる。開くときには、掛止爪１１２が後方に押される。このために適宜の工具をシール用舌片１１５，１１６の間の隙間に挿入し、カバーの爪部を外す。水平なダクト１７は、機器とダクト１７との間でケーブルの露出長さが短いために、清掃費用を低減し、良好な衛生管理状態を維持し、更にはより安全にケーブルを保護し得る等の利点を有する。
【００２０】
注輸用の支持ヘッド５’について以下、更に説明する。図５に示すように、注輸用支持ヘッド５’は、供給部１０の下側において、ロッド状のポンプ用縦管１９を担持する担持装置をなすホルダー１２０を有する。このホルダー１２０は下側枠部材４５の溝４６内で移動可能なスライドブロック１２３と、これに連結されるとともにＴ字形溝４６’内で移動可能なスライドブロック１２２を有する。スライドブロック１２３は、ちょうネジ１２１により固定ならびに取外し可能となっている。ホルダー１２０は更に縦アーム１２４を有する。該アーム１２４は、スライドブロックに連結されるとともにその下端部に二重エッジ部１２５を有し、その上でアーム１２６が案内される。アーム１２６はスラストワッシャ１２７を介して、ちょうネジ１２８によりクランプされる。ちょうネジ１２８はゆるみを生じないように保持されている。アーム１２６は、二重エッジ部１２５と対応する部分において長尺の孔１２９を有し、その孔１２９内でアーム１２６は溝４６を横切る方向に移動可能である。アーム１２６の他方の端部には開口１３０が形成され、この開口１３０を通してポンプ用縦管１９が案内される。
【００２１】
上述のように、下側枠部材４５が溝４６，４６’内で移動可能であり、又、ポンプ用縦管１９が縦アーム１２４と相対的に移動可能となっているので、注輸用支持ヘッド５’の複数のポンプを任意の選択位置に互いに押し出すことができる。このようにして、注輸システムをポンプのサイズに合わせて種々の距離位置で設置することができる。更に、担持枠体１４，１４’を注輸用支持ヘッド内に単独で、あるいは水平ダクト１７と一緒に追加することができる。これはポンプ、機器等に接続されるラインやケーブルを案内する支持ヘッド５の場合も同様である。
【００２２】
各ポンプ用縦管１９は調整可能であるので、概略の重心を有する複数のポンプを枢動支承板４’により規定された支持ヘッド５’の仮想延長回転軸線に位置づけることができる。この機器の位置において追加的トルクが生じないので、より大きな最大負荷重量が得られるとともにスペースの節約も可能となる。
【００２３】
まず、監視用及び機器用の支持ヘッド５について、供給用装置の装備の場合、ガス接続用の旋回シャーシ５７がヒンジに掛止され、接続部１１が対応する取付部材６０に挿入される。装備は供給部１０を開いた状態で行なわれる。次いで、旋回シャーシ５７がたたまれて取付部材６０がネジ５８によりネジ付きダクト３５にネジ込まれる。そして、各接続部のそれぞれの前板６６がネジ止めされる。電気的接続部の旋回シャーシ５７’は、電気的接続部１２用の前板を有して旋回状態にあり、ここで必要な電気的接続がなされる。次いで、旋回シャーシ５７’がたたまれるとともに、上側枠部材２１のネジ付きダクト３５’と共働するネジ７８によって、上側枠部材２１に連結される。供給部の開口４０，４０’から延出したラインないし導管は担持枠体１４，１４’のダクト１５，１５’に挿入され、場合によっては水平ダクトに導かれるとともに所要の位置まで案内される。従って、ダクトと機器の間には、極く短い距離だけ露出したラインないし導管が残ることとなる。注輸用支持ヘッドには必要な数のポンプ及びそのためのポンプ用縦管１９が設けられる。
【００２４】
供給部１０のＴ字形溝内で機器及び機器保持部材ないしホルダーが移動可能な構成のため、種々異なる幅ないしサイズのコンソール１６や機器を取付けることができる。このように、使用する機器に応じてスペースの節約が最大限可能となる。極わずか数センチメートルのスペース節約でも利点といえる。
【００２５】
ラインないし導管１００はダクト１５，１５’内を案内されるので、露出しない。水平ダクト１７を介して更に長い範囲にわたって露出しない状態で導管を所要位置まで導くことができる。従って、安全性及び衛生管理の上で望ましい。
【００２６】
図９，１０に示す本発明の他の実施形態において、本発明におけるダクト１５，１５’を備えた担持枠体１４，１４’は、水平ダクト１７や上述のコンソール１６、あるいは引出し等と一緒に、あるいは単独で、車台１３１に連結される。この車台１３１に担持枠体１４，１４’にネジ止めされる。これにより機器用の台車１３２が構成される。これに装備されるコンソール、引出し等の幅、高さ、奥行き等のサイズ及び数は自由に選定し得る。車台１３１の下側には引出し１３３が設けられ、これはその機能の点から、支持ヘッドの供給部１０の目的物の一部となる。例えば、引出し１３３は導管部分をなす本管分配器１３４，分離変圧器及び電圧補償盤などを有する。引出し１３３の真上には水平ダクト１３５が設けられ、この内部に引出し１３３からのケーブル等の導管１００が挿入されるとともに上述したホルダー１１０，１１１によって案内される。次いで、導管は縦方向に沿うダクト１５，１５’を通して案内されて機器へ直接導かれるか、あるいは更にコンソール１６のすぐ上方に取着された水平ダクト１７を介して導かれる。可動の作業ステーションの供給のための導管部分をなすメインケーブル等１３６は引出しパネル１３８の開口１３７から引出される。開口１３７は作業ステーションまで引出されるケーブル等１３６を収納するに十分なサイズに設定される。引出し１３３は適宜の工具で開く構成とし得る。
【００２７】
このように、縦方向及び水平方向に沿うダクトが天井取付型の支持装置においても、あるいは機器用台車においても、ケーブル等の導管の長さの殆どの範囲を案内することができ、機器側の導管端部のみが僅かに見える状態に残される。
【００２８】
本発明の更に他の実施形態として、機器により覆われないＴ字形溝を柔軟な部材で液密状態に閉じる構成も可能である。
【図面の簡単な説明】
【図１ａ】
医療用監視及び供給用装置の概略正面図である。
【図１ｂ】
図１ａに示す監視用及び呼吸制御用支持ヘッドの概略側面図である。
【図１ｃ】
図１ａに示す注輸用支持ヘッドの概略側面図である。
【図２】
図１ａのＡ−Ａ線に沿って見た支持ヘッドの供給部の断面図である。
【図３】
図１ａのＢ−Ｂに沿って見た開成状態の供給部の断面図である。
【図４】
図１ａのＡ−Ａ線に沿って見た閉成状態の供給部の断面図である。
【図５】
図１ａに示す注輸用支持ヘッドの部分破断側面図である。
【図６ａ】
図１ａに示す支持ヘッドの担持枠体をダクトが閉じた状態でＣ−Ｃ線に沿って見た横断面図である。
【図６ｂ】
図１ａに示す支持ヘッドの担持枠体をダクトが開いた状態でＣ−Ｃ線に沿って見た横断面図である。
【図６ｃ】
図１ａに示す支持ヘッドの担持枠体をダクトが開いた状態でケーブル用ダクトのカバーを取り外した状態でＣ−Ｃ線に沿って見た横断面図である。
【図７】
本発明に係る担持枠体を開いたダクトのカバーとともに示す部分拡大斜視図である。
【図８】
図１ａに示す支持ヘッドの担持枠体のダクトの開いたカバーとともに示す部分拡大斜視図である。
【図９】
本発明に係る担持枠体を備えた医療機器用台車を、開いた状態のダクトのカバーとともに上方より見た斜視図である。
【図１０】
図９に示す医療機器用台車を閉じた状態のダクトのカバーとともに下方より見た斜視図である。
【国際公開パンフレット】
2004514478.tif 000003
2004514478.tif 000004
2004514478.tif 000005
2004514478.tif 000006
2004514478.tif 000007
2004514478.tif 000008
2004514478.tif 000009
2004514478.tif 000010
2004514478.tif 000011
2004514478.tif 000012
2004514478.tif 000013
2004514478.tif 000014
2004514478.tif 000015
2004514478.tif 000016
2004514478.tif 000017
2004514478.tif 000018
2004514478.tif 000019
2004514478.tif 000020
2004514478.tif 000021
2004514478.tif 000022
2004514478.tif 000023
2004514478.tif 000024
2004514478.tif 000025
2004514478.tif 000026
2004514478.tif 000027
2004514478.tif 000028
2004514478.tif 000029
2004514478.tif 000030
2004514478.tif 000031
2004514478.tif 000032
【国際調査報告】
2004514478.tif 000033
2004514478.tif 000034
2004514478.tif 000035
2004514478.tif 000036